(57)【要約】【課題】ゴルフ練習器の構造の提供。【解決手段】グリップ、連結部品、２個の透明容器により組成する。該透明容器内には６〜８分目水位まで水を充填し、水位の平衡静止及び力の釈放の制御を利用し、正確で効果的なゴルフスイングの練習道具を実現する。該２個の透明容器と該グリップのガードブロックは傾斜面を呈して設置し、こうして使用者はゴルフクラブのヘッドの傾斜面を体験できるという練習効果を備える。しかも該２個の透明容器と該グリップはＹ字型連結を呈し、該２個の透明容器内に充填する水の力量累積は比較的集中し、同時に力量の釈放はよりスムーズとなる。よって、製品の実用性を増強し、産業上の利用価値を向上可能なゴルフ練習器の構造を提供することができる。【選択図】図１
0003140495.tif 000002
【実用新案登録請求の範囲】
【請求項１】
グリップ、連結部品、透明容器により組成し、
該グリップは円筒形で、片側の中央部分にはガードブロックを突出設置し、該グリップは軟質で、しかも手の平で握った造型に符合し、
該連結部品は菱形のブロック体で、該連結部品の底面両側は上方へと傾斜し、連結スリーブをそれぞれ固設し、
該２個の透明容器は頂端の前縁には外ネジヤマを形成し、
該２個の透明容器内に６〜８分目の水を充填し、該透明容器頂端前縁の外ネジヤマを該連結部品底面両側の連結スリーブ内に螺設嵌合し、しかも該２個の透明容器と該グリップはＹ字型の連結を呈することを特徴とするゴルフ練習器の構造。
【考案の詳細な説明】
【技術分野】
【０００１】
本考案はゴルフ練習器の構造に関する。特にグリップ、連結部品、２個の透明容器により組成し、透明容器内には６〜８分目まで水を充填し、水位の平衡静止及び力の釈放の制御を利用し、正確で効果的なゴルフスイングの練習道具を実現し、２個の透明容器とグリップのガードブロックは傾斜面を呈し設置し、こうして使用者はゴルフクラブのヘッドの傾斜面を体験できるという練習効果を備え、しかも２個の透明容器とグリップはＹ字型連結を呈し、２個の透明容器内に充填する水の力量累積は比較的集中し、同時に力量の釈放はよりスムーズとなり、製品の実用性を増強し、産業上の利用価値を向上可能なゴルフ練習器の構造に係る。
【背景技術】
【０００２】
周知のように、ゴルフにおいて飛距離を伸ばしたければ、クラブの打撃力の方向、スイングの角度、打球のポイントなど多くの条件を相互に協調させ運用する必要がある。
しかし、前記のように複雑かつ微妙なスイング動作は、長期間の正確な訓練を経て初めて身に着くものである。また、力のコントロールと力を抜くタイミングも無形のもので、しかも簡単に成し遂げられるものではない。
【０００３】
ゴルフスイング動作の変化においては、その力量の形成と釈放は明確には観察できず、反復練習の中から模索しつつコツを累積することによってのみ、スイングを修正し初期効果を徐々に達成することができるが、本考案者はこの点に鑑み、関連業界において積み重ねてきた専門知識と実務設計経験を基礎に研究を重ね、ついにゴルフ練習器の構造の開発に成功した。
【考案の開示】
【考案が解決しようとする課題】
【０００４】
本考案はゴルフ練習器の構造を提供する。
それはグリップ、連結部品、２個の透明容器により組成し、
該透明容器内には６〜８分目まで水を充填し、水位の平衡静止及び力の釈放の制御を利用し、正確で効果的なゴルフスイングの練習道具を実現し、
該２個の透明容器と該グリップのガードブロックは傾斜面を呈し設置し、こうして使用者はゴルフクラブのヘッドの傾斜面を体験できるという練習効果を備え、
しかも該２個の透明容器と該グリップはＹ字型連結を呈し、該２個の透明容器内に充填する水の力量累積は比較的集中し、同時に力量の釈放はよりスムーズとなり、
よって、製品の実用性を増強し、産業上の利用価値を向上可能なゴルフ練習器の構造を提供することができる。
【課題を解決するための手段】
【０００５】
請求項１の考案は、グリップ、連結部品、透明容器により組成し、
該グリップは円筒形で、片側の中央部分にはガードブロックを突出設置し、該グリップは軟質で、しかも手の平で握った造型に符合し、
該連結部品は菱形のブロック体で、該連結部品の底面両側は上方へと傾斜し、連結スリーブをそれぞれ固設し、
該２個の透明容器は頂端の前縁には外ネジヤマを形成し、
該２個の透明容器内に６〜８分目の水を充填し、該透明容器頂端前縁の外ネジヤマを該連結部品底面両側の連結スリーブ内に螺設嵌合し、しかも該２個の透明容器と該グリップはＹ字型の連結を呈することを特徴とするゴルフ練習器の構造としている。
【考案の効果】
【０００６】
本考案は製品の実用性を増強し、産業上の利用価値を向上させることができる。
【考案を実施するための最良の形態】
【０００７】
先ず図１、２に示すように、本考案のゴルフ練習器の構造は、グリップ１０、連結部品１２、透明容器２０などの構成部品により組成する。
該グリップ１０は円筒形で、片側の中央部分にはガードブロック１１を突出設置する。該グリップ１０は軟質で、しかも手の平で握った造型に符合している。
該連結部品１２は菱形のブロック体である。該連結部品１２の底面両側は上方へと約１０〜２０度傾斜し、連結スリーブ１３をそれぞれ固設する。該連結部品１２の連結スリーブ１３底面内側には内ネジヤマ(図示なし)を設置する。
該透明容器２０は頂端の前縁に外ネジヤマ２１を形成する。
本考案は該２個の透明容器２０内に６〜８分目の水を充填し、該透明容器２０頂端前縁の外ネジヤマ２１を該連結部品１２底面両側の連結スリーブ１３内に螺設嵌合し、しかも該２個の透明容器２０と該グリップ１０はＹ字型の連結を呈し、こうしてゴルフ練習器の構造を構成する。
【０００８】
本考案は上記の構造特徴を実際に運用し、無形の力量を透明な容器に６〜８分目の水を充填し水の移動を利用することで、力量の出所を取得し、しかも力量の角度を目で実際に正確に観察することができる。移動により形成される衝撃力こそが、ゴルフスイングに必要な打撃力である。透明容器が、定点の高所において水平状を呈し、続いて楽に振り下ろされる時、水からの衝撃力が現出される。しかし、もし非常に急速に持ち上げ、水平面の安定を待たずに力任せに振り下ろされるなら、この種の衝撃力は分散してしまう。
本考案を運用し、頂点まで振り上げた透明容器は天空に向かっており、この状態で水の静止を待っている時、蓄えられる力量が大きければ大きいほど、振り下ろされる打撃力も大きくなる。
【０００９】
同時に、スイングの巧妙さも合わせる必要があるが、もしグリップに力が入り過ぎていれば、透明容器内の水の全体の衝撃力は消去されてしまい、力がなくなってしまう。しかし楽に振り上げ、また楽に振り下ろすなら、透明容器内の水の衝撃力も非常に大きくなる。
透明容器内の水位の制御が水平に近くなればなるほど、累積力量が大きいことを示している。ボールの位置に接触しそうになるまで待って釈放される力は非常に大きく、よって左手の腕を曲げる動作は最後に最良の状態を達成することができる。この時、身体の重心は正面でボールを打撃し、身体が偏移せず、左手と右手が下腹部辺りを通過する時、わずかに内側に収縮し、両手は身体に従い移動し、迅速に楽にクラブを握り、打ちたい方向に向かってを打撃することができる。クラブを戻す時には、打撃を完了した余力でクラブを戻し完了する。
このように過程全体は透明容器において完成し、クラブヘッド力量の形成を目で見ることができ、蓄えられ、蓄積し、静止し、釈放される力の構造を完全にはっきりと観察することができる。
【００１０】
本考案は他の多くの球技に運用し、訓練時に正確な方法と技巧を提供することができ、力の入れ方が不適当なことによる運動障害を防止することができる。また最も簡単で低廉な道具を用い、運動選手はその分野における最も精巧な訓練を体験することができる。
【００１１】
図３に示すように、本考案のグリップ１０中央部分にはガードブロック１１を突出設置する。使用者は該グリップ１０のガードブロック１１の位置限定機能により、該連結部品１２上の２個の透明容器２０は該グリップ１０上のガードブロック１１と適当な挟角Ａを呈する。該挟角Ａは８〜６０°である。これにより、使用者の練習時に、該２個の透明容器２０は適当な傾斜面を呈し、使用者はゴルフクラブヘッドの傾斜面の練習効果を体験することができる。
【００１２】
本考案の２個の透明容器とグリップはＹ字型の連結を呈する。本考案の運用し頂点まで振り上げ透明容器が空に向かい、水の波動が停止する時、２個の透明容器内に水が充填されていれば、その力量の累積はグリップの軸心線上に集中する。同時に、楽に振り下ろすと時、該２個の透明容器内に充填される水は、その力量の釈放がさらにスムーズとなる。
【００１３】
本考案の２個の透明容器とグリップはＹ字型連結を呈するゴルフ練習器は以下の機能を備える。
（１）方の透明容器は方向を導く機能を備える。
（２）Ｙ字型内陥没位置の中心点は、ボール打撃の中心点に使用者を導く。
（３）上方における透明容器の効用は、力量を導くことができ、ボールを打撃する瞬間に迅速な反転動作を行う。
【図面の簡単な説明】
【００１４】
【図１】本考案の立体組合せ構造概略図である。
【図２】本考案の立体分解構造概略図である。
【図３】本考案の実施状態概略図である。
【符号の説明】
【００１５】
１０  グリップ
１１  ガードブロック
１２  連結部品
１３  連結スリーブ
２０  透明容器
２１  外ネジヤマ
【図１】
0003140495.tif 000003
【図２】
0003140495.tif 000004
【図３】
0003140495.tif 000005